(57)【要約】【課題】  壁面の凹所に取り付けた手摺部材が握り易くて安全で、しかも凹所に外光が入り易くして手摺部材を見易くするとともに、凹所内にゴミが溜まり難くして掃除を容易にする手摺取付構造を提供する。【解決手段】  壁面４に凹所５を形成し、しかも同凹所５の内側の上下面に凹所５の開口に向かって上下が拡幅されるように傾斜させて上傾斜面５ａと下傾斜面を形成し、同凹所５の中央部に手摺部材１を壁面４から突出しないように取付具２で取り付ける。従って、手摺部材１の外周を握ることができて安全であり、また凹所５の上傾斜面５ａにより外光が遮られることなく手摺部材１を明るく照らし、下傾斜面５ｂによりゴミが下方へ落下して溜まり難くなる。【選択図】          図１
0003109900.tif 000002
【実用新案登録請求の範囲】
【請求項１】
壁面に凹所を形成し、同凹所の中央部に手摺部材を壁面から突出しないように取り付けた手摺取付構造。
【請求項２】
凹所の内側の上下面を凹所の開口の方向に向かって上下の幅が拡幅されるように傾斜をさせ、上側の傾斜で外光が入り易くし且つ下側の傾斜でゴミが溜まり難くした請求項１記載の手摺取付構造。
【請求項３】
壁面が建物の室内面又は室外面である請求項１又は２記載の手摺取付構造。
【請求項４】
手摺部材の上面を平らに形成し、手摺部材の上面に小物を置けるようにした請求項３記載の手摺取付構造。
【請求項５】
浴室の壁面に横方向の凹所を浴槽へ向けて形成し、同横方向の凹所の浴槽側端部に縦方向の凹所を形成し、各凹所に横方向と縦方向の手摺部材をＴ字状に取り付けた請求項３又は４記載の手摺取付構造。
【請求項６】
浴槽の内側面に凹所を形成し、同凹所に手摺部材を取り付けた請求項５記載の手摺取付構造。
【請求項７】
壁面が車両の外面であって、横方向の凹所を車両の乗車口に向けて形成し、同横方向の凹所の乗車口側端部に縦方向の凹所を形成し、各凹所に横方向と縦方向の手摺部材をＬ字状に取り付けた請求項１又は２記載の手摺取付構造。
【請求項８】
手摺部材の表面に所定の場所へ案内するための移動方向を示す矢印を表示又は矢印の凹凸を形成した請求項１〜７いずれか記載の手摺取付構造。
【考案の詳細な説明】
【技術分野】
【０００１】
本考案は、手摺取付構造に関する。
【背景技術】
【０００２】
従来、手摺部材は壁面にブラケット等で取り付けられている。この手摺部材は壁面から突出しており、室内空間を狭くするだけでなく手摺を必要としない人にとっては邪魔となることがあった。そこで、壁面に凹所を形成し、同凹所に手摺部材を壁面から突出しないように取り付けた手摺取付構造が特許文献１で提案されている。しかし、この技術では手摺部材を凹所の内側の下面に直接取り付けているから、手摺部材の外周を握ることができず、握力の小さい身障者やお年寄にとって使い易いものではなかった。また、凹所の内側の上下面が水平であるから、凹所内が影となって外光の方角によっては手摺部材が見えにくくなることがあり、また下面にはゴミが溜まり易いという問題があった。
【特許文献１】実開平５−５７１２７号公報
【考案の開示】
【考案が解決しようとする課題】
【０００３】
本考案が解決しようとする課題は、従来のこれらの問題点を解消し、握力の小さい人でも手摺部材を握り易くして安全に使用でき、しかも手摺部材が位置する凹所内に外光を入り易くして手摺部材を見易くするとともに、凹所内にゴミが溜まり難くして掃除を容易にした手摺取付構造を提供することにある。
【課題を解決するための手段】
【０００４】
かかる課題を解決した本考案の構成は、
１）  壁面に凹所を形成し、同凹所の中央部に手摺部材を壁面から突出しないように取り付けた手摺取付構造
２）  凹所の内側の上下面を凹所の開口の方向に向かって上下の幅が拡幅されるように傾斜をさせ、上側の傾斜で外光が入り易くし且つ下側の傾斜でゴミが溜まり難くした前記１）記載の手摺取付構造
３）  壁面が建物の室内面又は室外面である前記１）又は２）記載の手摺取付構造
４）  手摺部材の上面を平らに形成し、手摺部材の上面に小物を置けるようにした前記３）記載の手摺取付構造
５）  浴室の壁面に横方向の凹所を浴槽へ向けて形成し、同横方向の凹所の浴槽側端部に縦方向の凹所を形成し、各凹所に横方向と縦方向の手摺部材をＴ字状に取り付けた前記３）又は４）記載の手摺取付構造
６）  浴槽の内側面に凹所を形成し、同凹所に手摺部材を取り付けた前記５）記載の手摺取付構造
７）  壁面が車両の外面であって、横方向の凹所を車両の乗車口に向けて形成し、同横方向の凹所の乗車口側端部に縦方向の凹所を形成し、各凹所に横方向と縦方向の手摺部材をＬ字状に取り付けた前記１）又は２）記載の手摺取付構造
８）  手摺部材の表面に所定の場所へ案内するための移動方向を示す矢印を表示又は矢印の凹凸を形成した前記１）〜７）いずれか記載の手摺取付構造
にある。
【考案の効果】
【０００５】
本考案によれば、手摺部材を凹所の中央部に取り付けているから、手摺部材の外周を握ることができ、握力の小さい人でもしっかりと握って安全に使用できる。また、例えば夜に天井の照明器具から発せられた光は遮られることなく手摺部材を照らし、目の不自由な身障者やお年寄にとって安全で使い易いものとなる。また、下側の傾斜でゴミが溜まり難くなり、掃除が容易となる。
【考案を実施するための最良の形態】
【０００６】
本考案では、壁面が建物の室内面又は室外面である場合、手摺部材の断面形状をその上面が平となるように楕円状などに形成すると、手摺部材の上面に植木鉢・置物等の小物を置けるようになりインテリアになる。壁面が車両の外面である場合、手摺部材に車両の乗車口への方向を示す矢印を表示又は矢印の凹凸を形成し、乗車口への方向を認識させて誘導を容易にする。手摺部材は横方向や縦方向のものを組み合わせて使用することもあり、建物の浴室・玄関口や車両の乗車口など身体の上下移動を伴う箇所では縦方向の手摺部材を取り付けてＴ字状又はＬ字状となるようにしてもよい。以下、本考案の各実施例を図面に基づいて具体的に説明する。
【実施例１】
【０００７】
図１〜３に示す実施例１は、建物の廊下に本考案を適用した例である。図１は実施例１の手摺取付構造の縦断面図、図２は実施例１と従来例の手摺部材の使用状態を示す比較図、図３は実施例１の手摺取付構造の正面図である。図中、１は手摺部材、１ａは手摺面、２は取付具、３は取付ネジ、４は壁面、５は凹所、５ａは上傾斜面、５ｂは下傾斜面、６は小物、７は照明光である。
【０００８】
実施例１の手摺取付構造は、図１に示すように壁面４に形成した凹所５の内側の上下面を凹所５の開口の方向に向かって上下の幅が拡幅されるように傾斜させ、同凹所５の中央部に上面が平らである手摺面１ａを備えた断面楕円状の木製の手摺部材１を取付具２と取付ネジ３で壁面４から突出しないように取り付けている。
【０００９】
図２に実施例１と従来例の手摺部材１の比較を示している。実施例１では手摺部材１を凹所５の中央部に取り付けているから、手摺部材１の外周を握ることができ、握力の小さい人でも安全に使用できる。また、図２（ａ）に示すように夜に天井から照明光７が凹所５の上傾斜面５ａにより遮られることなく手摺部材１を明るく照らし、目の不自由な人にとって見易く安全である。従来例では図２（ｂ）に示すように照明光７が凹所５の上側で遮られて手摺部材１の一部が影となり、見にくいものとなる。
【００１０】
また、図３に示すように実施例１では手摺部材１の手摺面１ａが平らとなっているから、上傾斜面５ａによる広い空間と相まって植木鉢や置物等の小物６を置くことができ、インテリアになる。また、凹所５の上傾斜面５ａにより外光が入り易くなるばかりか、廊下側に開放された形状であるから圧迫感がなく、従来では人の身長によっては腕が接触することがあったが実施例１ではそのようなことがない。また、凹所５の下傾斜面５ｂによりゴミやホコリが落下して溜まり難く、掃除が容易となる。
【００１１】
図４，５に示すのは実施例１の他の例である。図４，５は実施例１の他の例の手摺取付構造の説明図である。図中、９は浴槽、１０は上り框、１１は土間、１２は玄関ドアである。図４は浴室に応用した例を示しており、浴室の壁面４に横方向の凹所５を浴槽９へ向けて形成し、同横方向の凹所５の浴槽９側端部に縦方向の凹所５を形成し、各凹所５に横方向と縦方向の手摺部材１を全体がＴ字状となるように取り付けている。また、浴槽９の内側面に横方向の凹所５を形成して手摺部材１を横方向に取り付けている。従って、浴槽９への出入りの際に縦方向の手摺部材１を使用することでより安全で使い易いものとなり、また浴槽９から立ち上がる際に浴槽９内の手摺部材１を使用することで楽に立ち上がることができる。
【００１２】
図５は玄関口に応用した例を示しており、廊下の壁面４に横方向の凹所５を玄関ドア１２に向けて形成し、同横方向の玄関ドア１２側端部に縦方向の凹所５を形成し、各凹所５に横方向と縦方向の手摺部材１を全体がＴ字状となるように取り付けている。従って、靴の脱履の際に縦方向の手摺部材１を使用することで安全で使い易いものとなる。その他、符号、構成は実施例１と同じである。
【実施例２】
【００１３】
図６に示す実施例２は、バスに本考案を適用した例である。図６は実施例２の手摺取付構造の正面図である。図中、１ｂは矢印、１３は車両、１４は乗車口である。実施例２では、車両１３の左側面に横方向の凹所５を乗車口１４に向けて形成し、同横方向の凹所５の乗車口１４側端部に縦方向の凹所５を形成し、各凹所５に横方向と縦方向の手摺部材１を車両１３の外面から突出しないように且つ全体がＬ字状となるように取り付けている。手摺部材１には乗車口１４への方向を示す矢印１ｂを所定間隔おいて複数表示している。また、矢印１ｂに代えて点字を用いてもよい。
【００１４】
乗客が目の不自由な身障者やお年寄の場合、車両１３の側面に備えられている横方向の手摺部材１を握って乗車口１４へ向かう。手摺部材１には方向を示す矢印１ｂが表示されており、乗客は直近の矢印１ｂを見ながら歩き、縦方向の手摺部材１に握り直して乗車口１４から安全に乗車できるようになる。手摺部材１は車両１３の外面から突出していないから、走行に支障はない。また、実施例１と同じように凹所５の上傾斜面５ａにより外光が手摺部材１を照らして見易くし、下傾斜面５ｂにはホコリ等が溜まり難く洗車が容易となる。その他、符号、構成は実施例１と同じである。
【産業上の利用可能性】
【００１５】
本考案は、住宅の廊下・階段・トイレ・浴室・玄関口・車庫、バスや鉄道等の車両に応用される。
【図面の簡単な説明】
【００１６】
【図１】実施例１の手摺取付構造の縦断面図である。
【図２】実施例１と従来例の手摺部材の使用状態を示す比較図である。
【図３】実施例１の手摺取付構造の正面図である。
【図４】実施例１の他の例の手摺取付構造の説明図である。
【図５】実施例１の他の例の手摺取付構造の説明図である。
【図６】実施例２の手摺取付構造の正面図である。
【符号の説明】
【００１７】
１  手摺部材
１ａ  手摺面
１ｂ  矢印
２  取付具
３  取付ネジ
４  壁面
５  凹所
５ａ  上傾斜面
５ｂ  下傾斜面
６  小物
７  照明光
９  浴槽
１０  上り框
１１  土間
１２  玄関ドア
１３  車両
１４  乗車口
【図１】
0003109900.tif 000003
【図２】
0003109900.tif 000004
【図３】
0003109900.tif 000005
【図４】
0003109900.tif 000006
【図５】
0003109900.tif 000007
【図６】
0003109900.tif 000008